(57)【要約】      （修正有）【課題】廃棄物を十分に圧縮した状態でゴミ袋に収容し、この収容したゴミ袋の使用量を管理できる廃棄物圧縮装置を提供する。【解決手段】廃棄物情報入力端末付き廃棄物圧縮装置４は、内部に廃棄物を投入可能なケーシング３０と、ケーシング３０内の上部に設けられ、押圧板３２ｂを下方に向けて進出させることにより廃棄物を圧縮し、ケーシング３０内の下部に取り付けられたゴミ袋４４へと押し込む圧縮機構３２と、圧縮機構３２により廃棄物が押し込まれたゴミ袋４４の使用量に関する使用量情報を含む廃棄物情報の入力を受付可能なタッチパネル端末２と、を備え、タッチパネル端末２は、入力を受け付けた廃棄物情報を、廃棄物情報を管理するサーバに送信可能である。【選択図】図３
0003167268.tif 000002
【実用新案登録請求の範囲】
【請求項１】
内部に廃棄物を投入可能なケーシングと、
前記ケーシング内の上部に設けられ、圧縮部材を下方に向けて進出させることにより廃棄物を圧縮し、前記ケーシング内の下部に取り付けられたゴミ袋へと押し込む圧縮機構と、
前記圧縮機構により前記廃棄物が押し込まれたゴミ袋の使用量に関する使用量情報を含む廃棄物情報の入力を受付可能な入力端末と、を備え、
前記入力端末は、入力を受け付けた前記廃棄物情報を、当該廃棄物情報を管理するサーバに送信可能であることを特徴とする廃棄物情報入力端末付き廃棄物圧縮装置。
【請求項２】
前記入力端末は、タッチパネルを備えた端末であることを特徴とする請求項１記載の廃棄物情報入力端末付き廃棄物圧縮装置。
【請求項３】
前記入力端末は、前記ケーシングの正面上部に取り付けられていることを特徴とする請求項１又は２記載の廃棄物情報入力端末付き廃棄物圧縮装置。
【請求項４】
前記廃棄物情報は、前記廃棄物が押し込まれたゴミ袋の種類に関する排出品目情報を含むことを特徴とする請求項１から３のうち何れか１項に記載の廃棄物情報入力端末付き廃棄物圧縮装置。
【考案の詳細な説明】
【技術分野】
【０００１】
本考案は、排出事業者が廃棄した廃棄物に関する情報の入力を受け付けるための端末を備えた廃棄物圧縮装置に関する。
【背景技術】
【０００２】
産業廃棄物の排出方法は、「廃棄物の処理及び清掃に関する法律」によって厳しく定められており、さらに、廃棄物を排出する際に使用するゴミ袋は、自治体の条例によって、自治体指定のものを用いなければならないと定められている。しかしながら、このような自治体指定のゴミ袋は高価であるため、廃棄物の排出の際に大量のゴミ袋を使用してしまうと、廃棄コストの増大を招く。よって、廃棄物管理責任者は、廃棄コストを削減するために、ゴミ袋の使用量を管理することを望んでいる。
【０００３】
これに対して、特許文献１には廃棄物収集ユニットを含んだ廃棄物を管理するシステムが開示されており、このシステムをゴミ袋の使用数の管理に適用することが考えられる。特許文献１に記載されたシステムでは、廃棄物の収集場所において廃棄物の重量を計量器により計量し、廃棄物の排出事業者の識別情報と、計量結果と廃棄物の識別情報をハンディターミナルに記録するとともに、廃棄物の識別情報を含むバーコードをプリンタにより印刷し、このバーコードが印刷されたラベルを廃棄物が収容されたゴミ袋に貼付することにより、廃棄物を管理している。したがって、このハンディターミナルに記録された情報に基づき、排出事業者の廃棄した廃棄物の数量、すなわち、ゴミ袋の使用量を管理することができる。
【先行技術文献】
【特許文献】
【０００４】
【特許文献１】特開平１０−２０６２１９号公報
【考案の概要】
【考案が解決しようとする課題】
【０００５】
ここで、ゴミ袋一つ当たりに収容される廃棄物の量は、廃棄物の体積を圧縮することにより大きく異なってしまう。すなわち、排出事業者が廃棄物をゴミ袋に収容する際に、廃棄物を圧縮しているか否かによって、ゴミ袋の使用量は大きく変わってしまう。したがって、特許文献１記載の発明をゴミ袋の使用量の管理に用いようとしても、集計されたゴミ袋の使用量には、排出事業者が廃棄物をゴミ袋内に収容する際に廃棄物を圧縮しているか否かによるばらつきが含まれてしまう。
【０００６】
本考案は、上記の問題に鑑みなされたものであり、その目的は、上記のようなばらつきを排除するべく、廃棄物を十分に圧縮した状態でゴミ袋に収容し、この収容したゴミ袋の使用量を管理できるようにすることである。
【課題を解決するための手段】
【０００７】
本考案の廃棄物情報入力端末付き廃棄物圧縮装置は、内部に廃棄物を投入可能なケーシングと、ケーシング内の上部に設けられ、圧縮部材を下方に向けて進出させることにより廃棄物を圧縮し、ケーシング内の下部に取り付けられたゴミ袋へと押し込む圧縮機構と、圧縮機構により前記廃棄物が押し込まれたゴミ袋の使用量に関する使用量情報を含む廃棄物情報の入力を受付可能な入力端末と、を備え、入力端末は、入力を受け付けた廃棄物情報を、廃棄物情報を管理するサーバに送信可能であることを特徴とする。
【０００８】
本考案によれば、圧縮機構により廃棄物を圧縮することができるため、入力端末には圧縮された状態の廃棄物を収容するのに必要なゴミ袋の量が入力される。これにより、廃棄物を圧縮しているか否かによるばらつきを含まない正確なゴミ袋の使用量に関する情報を集計することができ、適切なゴミ袋の削減目標を設定することができる。
【０００９】
上記の考案において、好ましくは、入力端末は、タッチパネルを備えた端末であり、ケーシングの正面上部に取り付けられている。
また、上記の考案において、好ましくは、廃棄物情報は、廃棄物が押し込まれたゴミ袋の種類に関する排出品目情報を含む。
【考案の効果】
【００１０】
本考案によれば、圧縮機構により廃棄物を十分に圧縮した状態でゴミ袋に収容し、この収容したゴミ袋の使用量を管理できる。
【図面の簡単な説明】
【００１１】
【図１】本考案による一実施形態の廃棄物圧縮装置を含む廃棄物廃棄情報管理システムの構成を示す図である。
【図２】図１に示すシステムのＡＳＰサーバの廃棄物情報管理データベースに記録された廃棄物情報の構成を示す図である。
【図３】図１に示すシステムおける廃棄物圧縮装置を示し、（Ａ）は正面図であり、（Ｂ）内部構成を示す正面鉛直断面図である。
【図４】図３に示す廃棄物圧縮装置により廃棄物を廃棄する流れを説明するためのフローチャートである。
【図５】図３に示す廃棄物圧縮装置のタッチパネル端末による廃棄物情報の入力作業の流れを示すフローチャートである。
【図６】図５のＳ２００において、タッチパネル端末に表示される排出事業者を選択するための排出事業者選択画面を示す図である。
【図７】図５のＳ２０４において、タッチパネル端末に表示される排出品目を選択するための排出品目選択画面を示す図である。
【図８】図５のＳ２０８において、タッチパネル端末に表示される排出量情報を入力するための排出量入力画面を示す図である。
【図９】図５のＳ２１２において、タッチパネル端末に表示される入力情報確認画面を示す図である。
【図１０】図１に示すシステムの管理端末に表示される集計された廃棄物情報の集計画面を示す図である。
【考案を実施するための形態】
【００１２】
以下、本考案の廃棄物廃棄情報入力端末付き廃棄物圧縮装置の一実施形態を含む廃棄物廃棄情報管理システムを、図面を参照しながら詳細に説明する。
図１は、本考案による実施形態の廃棄物圧縮装置４を含む廃棄物廃棄情報管理システム１の構成を示す図である。
同図に示すように、本実施形態の廃棄物廃棄情報管理システム１は、各廃棄物廃棄場所に設置されたタッチパネル端末２を有する廃棄物圧縮装置４と、例えばインターネットなどのネットワーク６を介してタッチパネル端末２と通信可能に接続されたＡＳＰサーバ８と、ＡＳＰサーバ８とインターネット１０を介して通信可能に接続された管理端末１２と、ＡＳＰサーバ８とネットワーク６を介して接続された事業者端末１４とにより構成される。
【００１３】
廃棄物圧縮装置４は、例えば、複数のテナントが入ったビルの廃棄物の排出場所に設置されており、これら複数のテナント（排出事業者）が廃棄物を排出する際に利用するものである。
管理端末１２は、廃棄物管理責任者が使用可能な端末であり、例えば、パーソナルコンピュータからなる。
また、事業者端末１４は各テナント（廃棄物の排出事業者）の店舗等に設置された排出事業者が使用可能な端末であり、例えば、パーソナルコンピュータからなる。
【００１４】
ＡＳＰサーバ８は、各排出事業者の廃棄物情報１６が記録された廃棄物情報管理データベースを備えたサーバである。図２は、ＡＳＰサーバ８の廃棄物情報管理データベースに記録された廃棄物情報１６の構成を示す。廃棄物情報管理データベースには、廃棄物情報１６として、廃棄物を識別するための廃棄物識別情報１８と、廃棄物の排出日時２０と、廃棄物の排出場所に関する排出場所情報２２と、廃棄物を排出した排出事業者に関する排出事業者情報２４と、廃棄物を収容したゴミ袋の情報などの排出品目識別情報２６と、廃棄物の排出量に関する排出量情報２８と、が組み合わされて記録されている。
【００１５】
ＡＳＰサーバ８は、管理端末１２からの排出事業者を指定する情報及び排出日時を指定する情報を含む要求指令に応じて、廃棄物情報管理データベースを参照し、指定された排出事業者及び日時に該当する廃棄物情報１６を集計し、集計した廃棄物情報１６を管理端末１２へ送信する。また、ＡＳＰサーバ８は、事業者端末１４からの排出事業者を指定する情報及び排出日時を指定する情報を含む要求指令に応じて、廃棄物情報管理データベースを参照し、指定された排出事業者及び日時に該当する廃棄物情報１６を集計し、集計した廃棄物情報１６を、ネットワーク６を介して、事業者端末１４へと送信する。
【００１６】
タッチパネル端末２は、例えば、タブレット式のＰＤＡであり、画面表示機能と、入力機能と、入力情報を記録するためのメモリと、メモリ等に記録されたプログラムを実行する演算装置とを備えている。タッチパネル端末２には、予め、当該タッチパネル端末２が取り付けられた廃棄物圧縮装置４の設置された廃棄物の排出場所に関する排出場所情報と、この排出場所を利用する複数の排出事業者情報とが記録されている。また、タッチパネル端末２は、メモリに記録された情報をネットワーク６を介してＡＳＰサーバ８に送信することができる。
【００１７】
図３は、図１に示すシステムおける廃棄物圧縮装置４を示し、（Ａ）は正面図であり、（Ｂ）内部構成を示す正面鉛直断面図である。同図に示すように廃棄物圧縮装置４は、縦長の箱状に形成されたケーシング３０と、ケーシング３０内の上部に設けられた圧縮機構３２と、ケーシング３０の上部前面に設けられた圧縮機構３２を操作するための操作スイッチ３４ａ、３４ｂ、３４ｃ及び圧縮機構３２の状態を表示するための表示ランプ３６ａ、３６ｂ、３６ｃと、を備えており、上述したタッチパネル端末２がケーシング３０の上部前面に取り付けられている。
【００１８】
ケーシング３０の中央部及び下部の前面にはそれぞれ前方に向かって開放可能な扉３８、４０が設けられている。また、ケーシング３０内の下部には、直方体状の廃棄物収集容器４２が設けられており、この廃棄物収集容器４２には自治体により指定された４５Ｌ，７０Ｌ、９０Ｌのゴミ袋４４を、上に向かって投入口を開いた状態で取り付けることができる。
ケーシング３０の内部には、廃棄物収集容器４２に取り付けられたゴミ袋４４内の廃棄物の量が所定量を越えたことを検知する、検知センサ（図示せず）が取り付けられている。このような検知センサとしては、例えば、赤外線センサ等を用いることができる。
【００１９】
操作スイッチ３４ａ、３４ｂ、３４ｃとしては、電源スイッチ３４ａと、廃棄物の圧縮を開始するための圧縮開始スイッチ３４ｂと、異常時などに圧縮機構３２を停止させるための停止スイッチ３４ｃと、が設けられている。
また、表示ランプ３６ａ、３６ｂ、３６ｃとしては、電源が入っており、廃棄物の圧縮作業を開始可能であるときに点灯する電源ランプ３６ａと、廃棄物の圧縮作業の実施時に点灯する圧縮中ランプ３６ｂと、検知センサによりゴミ袋が一杯になっていることが検知されると点灯するゴミ袋取替ランプ３６ｃと、が設けられている。
【００２０】
圧縮機構３２は、基部がケーシング３０の上部に下向きに固定された油圧ジャッキ３２ａと、油圧ジャッキ３２ａの下端に固定された押圧板３２ｂと、により構成される。圧縮機構３２は、油圧ジャッキ３２ａを上下方向に伸長又は収縮させることにより、押圧板３２ｂを下向きに進行又は上向きに退行させることができる。なお、本実施形態では、圧縮機構３２を構成する部材として、油圧ジャッキ３２ａを用いているが、これに限らず、電気式に伸長可能な部材を用いてもよい。
【００２１】
以下、図１に示す廃棄物廃棄情報管理システム１により、ゴミ袋の使用量情報を含む廃棄物情報を管理する方法を説明する。本実施形態の廃棄物廃棄情報管理システム１では、まず、排出事業者が廃棄物圧縮装置４により廃棄物を圧縮してゴミ袋４４に収容し、次に、使用者が廃棄物圧縮装置４のタッチパネル端末２からゴミ袋４４の使用量情報を含む廃棄物情報を入力し、入力された廃棄物情報をＡＳＰサーバ８に記録することにより、廃棄物情報を管理する。
【００２２】
そこで、まず、廃棄物圧縮装置４により排出事業者が廃棄物をゴミ袋４４に収容する流れを説明する。図４は、図３に示す廃棄物圧縮装置４により廃棄物をゴミ袋４４に収容する流れを説明するためのフローチャートである。なお、図中、廃棄物の排出事業者により行われる工程は破線で、廃棄物圧縮装置４により行われる工程は実線で示している。
【００２３】
同図に示すように、まず、排出事業者が、ケーシング３０前面の中央の扉３８を開き、ケーシング３０内に廃棄物を投入する（Ｓ１００）。
次に、排出事業者は起動中ランプ３６ａにより廃棄物圧縮装置４が起動中であることを確認し、圧縮開始スイッチ３４ｂを押す。
【００２４】
廃棄物圧縮装置４は、圧縮開始スイッチ３４ｂが押されると（Ｓ１０２）、まず、圧縮機構３２の油圧ジャッキ３２ａを伸長させ、押圧板３２ｂを下向きに進行させる。これにより、ケーシング３０内に投入された廃棄物は、押圧板３２ｂにより圧縮され、廃棄物収集容器４２に取り付けられたゴミ袋４４内へと押し込まれる。そして、廃棄物圧縮装置４は、所定の長さまで油圧ジャッキ３２ａを伸長させた後、圧縮機構３２の油圧ジャッキ３２ａが収縮させて、押圧板３２ｂを廃棄物の圧縮作業の開始時の位置へと戻す。これにより、廃棄物圧縮装置４は、廃棄物を圧縮してゴミ袋４４へと収容することができる（Ｓ１０４）。
【００２５】
なお、この廃棄物の圧縮作業の間、排出事業者が廃棄物圧縮装置４の扉４８、４０を開けると危険であるため、廃棄物圧縮装置４は、廃棄物収集容器４２に取り付けられた圧縮中ランプ３６ｂを点灯させて廃棄物の圧縮作業を行っていることを周囲に報知する。
【００２６】
次に、廃棄物圧縮装置４は、検知センサによりゴミ袋４４内の廃棄物が所定の量を越えているか否かを判定する（Ｓ１０６）。Ｓ１０６において、ゴミ袋４４内の廃棄物が所定の量を越えていると判定した場合には、廃棄物圧縮装置４は、ゴミ袋取替ランプ３６ｃを点灯させる（ＳＳ０８）。なお、このようにゴミ袋取替ランプ３６ｃが点灯している間は、再び圧縮開始スイッチ３４ｂが押されたとしても、圧縮機構３２による廃棄物の圧縮を行うことはない。
【００２７】
排出事業者は、このようにゴミ袋取替ランプ３６ｃが点灯しているのを確認すると、ケーシング３０前面下方に設けられた扉４０を開き、ケーシング３０内に収容されていた廃棄物収集容器４２を外部へ取り出す。そして、圧縮された廃棄物が入ったゴミ袋４４を廃棄物収集容器４２から取り外し、新たなゴミ袋４４を廃棄物収集容器４２に取り付け、廃棄物収集容器４２を再びケーシング３０内に収容する（Ｓ１１０）。これにより、廃棄物圧縮装置４は、廃棄物が所定の量を越えていると判定されなくなるため、ゴミ袋取替ランプ３６ｃを消灯して（Ｓ１１２）、Ｓ１１４に進む。
【００２８】
また、Ｓ１０６において、ゴミ袋４４内の廃棄物が所定の量を越えていないと判定された場合には、Ｓ１１４に進む。排出事業者は、Ｓ１１４において全ての廃棄物の廃棄作業が完了していない場合には、Ｓ１００に戻り再び廃棄物の廃棄作業を行う。また、Ｓ１１４において全ての廃棄物の廃棄作業が完了した場合には、次に、タッチパネル端末２から廃棄物情報の入力作業を行う。
以上のようにして、廃棄物圧縮装置４により、廃棄物を圧縮してゴミ袋４４に収容することができる。
【００２９】
次に、使用者が廃棄物圧縮装置４のタッチパネル端末２からゴミ袋４４の使用量情報を含む廃棄物情報を入力し、入力された廃棄物情報をＡＳＰサーバ８に記録する流れを詳細に説明する。なお、以下に説明するタッチパネル端末２による入力受付は、タッチパネル端末２の演算装置によりメモリ等に記録されているプログラムを実行することにより行われる。
【００３０】
図５は、図３に示す廃棄物圧縮装置４のタッチパネル端末２による廃棄物情報の入力作業の流れを示すフローチャートである。
まず、タッチパネル端末２は、図６に示すような排出事業者を選択するための排出事業者選択画面４６を表示する（Ｓ２００）。同図に示すように、タッチパネル端末２に表示された排出事業者選択画面４６には、予め記録された排出事業者情報に基づいてテナント名が記載されたアイコン４８が含まれている。
【００３１】
そして、排出事業者は、タッチパネル端末２に画面表示された排出事業者選択画面４６における自己のテナント名が記載されたアイコン４８をタッチする。これにより、タッチパネル端末２は、排出事業者の入力を受け付ける（Ｓ２０２）。
【００３２】
次に、タッチパネル端末２は、図７に示すような排出品目を選択するための排出品目選択画面５０を表示する（Ｓ２０４）。同図に示すように、タッチパネル端末２に表示される排出品目選択画面５０には、予め設定されたゴミ袋のサイズや廃棄物の種類を示す「４５Ｌ」、「７０Ｌ」、「９０Ｌ」、「古紙」、「缶類」、「その他」などの排出品目が記載されたアイコン４８が含まれる。
【００３３】
そして、排出事業者は、画面表示された排出品目選択画面５０における上記の廃棄物の排出作業において排出した廃棄物に対応する排出品目のアイコン４８をタッチする。これにより、タッチパネル端末２は、排出品目の入力を受け付ける（Ｓ２０６）。
【００３４】
次に、タッチパネル端末２は、図８に示すような排出量情報を入力するための排出量入力画面を表示する（Ｓ２０８）。同図に示すように、タッチパネル端末２に表示される排出量入力画面５４には、「０」−「９」のキーボードに対応するアイコン５６と、「決定」と表示されたアイコン５８とが含まれる。
【００３５】
そして、排出事業者は、画面表示されたキーボードに対応するアイコン５６をタッチして上記の廃棄物の排出作業において使用したゴミ袋４４の数を入力し、「決定」アイコン５８をタッチする。これにより、タッチパネル端末２は、排出量情報の入力を受け付ける（Ｓ２１０）。
【００３６】
次に、タッチパネル端末２は、図９に示すような入力情報確認画面６０を表示する（Ｓ２１２）。同図に示すように、タッチパネル端末２は、この入力情報確認画面６０には、排出事業者情報６２と、排出品目情報６４と、排出量情報６６と、排出日時情報６８と、「記録する」と表示されたアイコン７０ａと、「戻る」と表示されたアイコン７０ｂと、が含まれる。なお、タッチパネル端末２は、排出日時情報として、廃棄物情報の入力を開始した時点の時刻を用いるものとする。
【００３７】
そして、排出事業者は、画面表示された日時と、排出事業者情報と、排出品目情報と、排出量情報とを確認した上で、表示内容に誤りがなければ、「記録する」と表示されたアイコン７０ａをタッチする。これにより、タッチパネル端末２は、入力情報の確認済の旨の入力を受け付ける（Ｓ２１４）。なお、排出事業者は、上記の入力情報確認画面の表示内容に誤りがある場合には、「戻る」と表示されたアイコン７０ｂをタッチする。タッチパネル端末２は、「戻る」と表示されたアイコン７０ｂがタッチされた場合には、上記のＳ２００に戻って排出事業者選択画面４６を表示する。
【００３８】
Ｓ２１４において、タッチパネル端末２が入力情報の確認済の旨の入力を受け付けると、予め記録されている当該タッチパネル端末２が取り付けられている廃棄物圧縮装置４の設置された排出場所情報と、これら排出日時と、排出事業者情報と、排出品目情報と、排出量情報とを対応づけて、廃棄物情報としてメモリに記録する。
【００３９】
タッチパネル端末２は、このようにしてタッチパネル端末２のメモリに記録された廃棄物情報を、例えば、毎日の所定時刻などの予め設定されたタイミングでＡＳＰサーバ８へと送信する（Ｓ２１８）。なお、本実施形態では、タッチパネル端末２は、予め設定されたタイミングに廃棄物情報をＡＳＰサーバ８へ送信するものとしているが、これに限らず、廃棄物情報の入力を受け付けるごとに、ＡＳＰサーバ８へ廃棄物情報を送信してもよい。
【００４０】
ＡＳＰサーバ８は、タッチパネル端末２から廃棄物情報を受信すると（Ｓ２２０）、廃棄物情報に廃棄別識別情報を付与した上で、廃棄物情報管理データベースに記録する（Ｓ２２２）。
【００４１】
廃棄物管理責任者は、このようにしてＡＳＰサーバ８の廃棄物情報管理データベースに記録された廃棄物情報を集計して管理端末１２において確認することができる。以下、廃棄物管理責任者が集計された廃棄物情報を管理端末１２において確認する流れを説明する。
【００４２】
まず、廃棄物管理責任者が、管理端末１２に集計の対象となる期間及び排出事業者（テナント）を入力する。このように期間及び排出事業者の入力を受け付けると、管理端末１２は、ＡＳＰサーバ８へこれら期間及び排出事業者に関する情報を含む指令信号を送信する。
【００４３】
次に、ＡＳＰサーバ８は指令信号を受信すると、廃棄物情報管理データベースを参照して、指定された期間及び排出事業者に該当する廃棄物情報を取得し、取得した廃棄物情報を集計し、集計した廃棄物情報を管理端末１２へ送信する。そして、管理端末１２は受信した集計された廃棄物情報を画面表示する。
【００４４】
図１０は、管理端末１２に表示された集計された廃棄物情報の集計画面７２を示す図である。同図に示すように、管理端末１２に表示された集計画面７２には、指定された期間７２、指定された排出事業者名７４、指定された排出事業者の指定期間内の日ごとの各排出品目の廃棄数量を示す表７６や、指定期間内の各排出品目の合計廃棄数量を示す表７８や、各排出品目の割合を示すグラフ８０等が表示される。したがって、廃棄物管理責任者は、この集計画面７２に基づいて、各テナント（排出事業者）の日ごとの各ゴミ袋の使用量を把握することができ、それに基づき、削減目標等を設定することができる。また、このように集計されたデータは、自治体に提出する再利用計画書の作成にも使用することができる。
【００４５】
なお、上記の実施形態では、所定の期間の特定の排出事業者の廃棄物情報を表示する場合について説明したが、これに限らず、所定の期間の排出事業者同士の排出量の比較など、必要に応じた形式で管理端末１２に画面表示をすることができる。
【００４６】
また、各テナント（排出事業者）は、事業者端末１４により集計された自己の廃棄物情報を確認することができる。以下、各排出事業者が集計された廃棄物情報を管理端末１２において確認する流れを説明する。
【００４７】
まず、排出事業者が、事業者端末１４に集計の対象となる期間を入力する。このように集計の対象期間の入力を受け付けると、事業者端末１４は、予め事業者端末１４に記録されている排出事業者識別情報及び排出場所情報とともに、設定された集計対象期間を含む要求信号をＡＳＰサーバ８へ送信する。
【００４８】
次に、ＡＳＰサーバ８は要求信号を受信すると、廃棄物情報管理データベースから要求信号に含まれる、排出事業者識別情報及び排出場所情報の集計対象期間に該当する廃棄物情報を取得し、この情報を集計し、集計した廃棄物情報を事業者端末１４へ送信する。そして、事業者端末１４は受信した集計された廃棄物情報を画面表示する。
このようにして、事業者端末１４に集計された自己の廃棄物情報が画面表示され、これに基づいて各テナントは廃棄量の削減目標の達成状態を確認することができる。
【００４９】
本実施形態によれば、圧縮機構３２により廃棄物を圧縮してゴミ袋４４に収容できるため、高価な自治体指定のゴミ袋の使用量を削減することができ、廃棄コストを削減できる。
【００５０】
さらに、このように十分に圧縮した廃棄物が収容されたゴミ袋４４の使用量がタッチパネル端末２に入力されるため、廃棄物が圧縮されているか否かに起因するばらつきのない、正確なゴミ袋の使用量に関する廃棄物情報を集計することができ、適切なゴミ袋の削減目標を設定することができる。
【符号の説明】
【００５１】
１  廃棄物廃棄情報管理システム
２  タッチパネル
４  廃棄物圧縮装置
８  ＡＳＰサーバ
１２  管理端末
１４  事業者端末
１６  廃棄物情報
１８  廃棄物識別情報
２０  排出日時
２２  排出場所情報
２４  排出事業者情報
２６  排出品目情報
２８  排出量情報
３０  ケーシング
３２  圧縮機構
３２ａ  油圧ジャッキ
３２ｂ  押圧板
４２  廃棄物収集容器
４４  ゴミ袋
【図１】
0003167268.tif 000003
【図２】
0003167268.tif 000004
【図３】
0003167268.tif 000005
【図４】
0003167268.tif 000006
【図５】
0003167268.tif 000007
【図６】
0003167268.tif 000008
【図７】
0003167268.tif 000009
【図８】
0003167268.tif 000010
【図９】
0003167268.tif 000011
【図１０】
0003167268.tif 000012